(57)【要約】【課題】本発明は自動的にインクを吸い取ることができる万年筆を開示した。【解決手段】ペン軸を含み、前記ペン軸の中にはインク貯蔵チャンバが設けられ、前記インク貯蔵チャンバの上側内壁の中にはリールチャンバが連通するように設けられ、前記リールチャンバの中にはインクガイド装置が設けられ、前記インク貯蔵チャンバの下側内壁の中には伝動チャンバが連通するように設けられ、前記伝動チャンバの中には変圧装置が設けられ、前記伝動チャンバの左側内壁の中には手動装置が設けられ、本発明は構造が簡単で、操作が便利であり、ペン軸の後端からインクを吸い取ることができ、ペン先を使用してインクを吸い取ることを避け、ペン先の使用寿命を延ばし、また自動的にインクを吸い取ることができるため、手でペン軸を握る必要がなく、手にインクが付くことを避ける。【選択図】図１
2020175642.tif 000002
【特許請求の範囲】
【請求項１】
正面視で、ペン軸を含み、前記ペン軸の中にはインク貯蔵チャンバが設けられ、前記インク貯蔵チャンバの上側内壁の中にはリールチャンバが連通するように設けられ、前記リールチャンバの中にはインクガイド装置が設けられ、前記インク貯蔵チャンバの下側内壁の中には伝動チャンバが連通するように設けられ、前記伝動チャンバの中には変圧装置が設けられ、前記伝動チャンバの左側内壁の中には手動装置が設けられ、前記手動装置は前記伝動チャンバの左側内壁の中に設けられた歯車チャンバを含み、前記歯車チャンバの中には左歯車が回転できるように設けられ、前記左歯車の左端にはショートねじロッドが固定的に連結され、前記歯車チャンバの左側内壁の中には左方に開口したスライドブロックチャンバが設けられ、前記スライドブロックチャンバの中にはスライドブロックがスライドできるように設けられ、前記スライドブロックの中には右方に開口した連結孔が設けられ、前記ショートねじロッドが前記連結孔にねじ山によって連結されることができ、前記スライドブロックの右端と前記スライドブロックチャンバの右側内壁との間にはバネが固定的に連結され、前記変圧装置は前記左歯車と噛合できるように前記左歯車の下端に設けられた下歯車を含み、前記下歯車の下端には連結軸が固定的に連結され、前記歯車チャンバの下側内壁の中にはプーリー溝が設けられ、前記プーリー溝の右側内壁が前記伝動チャンバと連通しており、前記プーリー溝の中には左プーリーが回転できるように設けられ、前記連結軸の下端が前記プーリー溝の中に伸びており、且つ前記左プーリーに固定的に連結され、前記伝動チャンバの中には右プーリーが回転できるように設けられ、前記右プーリーと前記左プーリーとの間にはベルトが連結され、前記右プーリーの中にはロングねじロッドが固定的に連結され、前記ロングねじロッドの上側にはねじ山ブロックがスライドできるように設けられ、前記ねじ山ブロックの中には下方に開口したねじ山孔が設けられ、前記ロングねじロッドが前記ねじ山孔の中に伸びており、且つ前記ねじ山孔とねじ山によって連結され、前記伝動チャンバと前記インク貯蔵チャンバとの間にはスライド板がスライドできるように設けられ、前記スライド板は前記伝動チャンバと前記インク貯蔵チャンバとを離隔することができ、前記スライド板が前記ねじ山ブロックに固定的に連結され、前記インク貯蔵チャンバと前記リールチャンバとの間には固定板が固定的に設けられ、前記固定板は前記インク貯蔵チャンバと前記リールチャンバとを離隔することができ、
前記スライドブロックを押し動かし、前記連結孔を前記ショートねじロッドと連結し、これにより前記左歯車を回転連動させ、前記スライド板がスライドして前記インク貯蔵チャンバの中の気圧を変え、これによりインクを自動的に吸い取ることができることを特徴とする自動的にインクを吸い取ることができる万年筆。
【請求項２】
前記インクガイド装置は前記リールチャンバの前後内壁の間に回転できるように連結されたリール軸を含み、前記リール軸にはリールが固定的に連結され、前記リールの前後両端と前記リールチャンバの前後内壁との間にはトーションバネが固定的に連結され、前記リールにはインクガイド管が巻き付くように設けられ、前記インクガイド管の中にはインクガイド通路が貫通するように設けられ、前記リールチャンバの上側内壁の中には上方に開口した連結溝が設けられ、前記連結溝の中には前記連結溝としまりばめする連結ブロックがスライドできるように連結され、前記連結ブロックの中には回転輪チャンバが設けられ、前記インクガイド管の上端が前記回転輪チャンバの中に伸びており、前記インクガイド通路が前記回転輪チャンバに連通しており、前記回転輪チャンバの前後内壁の間には回転輪が回転できるように連結され、前記回転輪が前記回転輪チャンバの前後内壁と円周内壁とに当接しており、前記回転輪チャンバの上側内壁の中には上方に開口したインク吸い孔が連通するように設けられ、前記インクガイド管の下端が前記固定板の中に固定的に連結され、前記インクガイド通路が前記インク貯蔵チャンバに連通しており、
前記インクガイド装置はインクを前記インク貯蔵チャンバの中にガイドすることができることを特徴とする請求項１に記載の自動的にインクを吸い取ることができる万年筆。
【請求項３】
前記スライド板の中には弾性ロッドが固定的に設けられ、前記弾性ロッドの下端が前記伝動チャンバの下側内壁に固定的に連結され、前記弾性ロッドの中には弾性通路が上下に貫通するように設けられ、前記弾性通路の上側が前記インク貯蔵チャンバに連通しており、前記伝動チャンバの下側内壁の中には通路が連通するように設けられ、前記通路が前記弾性通路に正対しており、前記通路の下側内壁の中にはローリングボールチャンバが連通するように設けられ、前記ローリングボールチャンバの中にはローリングボールはローリングできるように設けられ、前記ローリングボールチャンバの下側内壁の中にはインク出し口が連通するように設けられ、前記インク出し口が前後に貫通しており、且つ下方に開口しており、
前記ペン軸の下側の尖っている端が弾性を持ち、インクが前記インク出し口を経由して紙に書かれることができ、前記ローリングボールは前記ローリングボールチャンバと前記インク出し口との間の連結口の大きさを制御することができることを特徴とする請求項２に記載の自動的にインクを吸い取ることができる万年筆。
【発明の詳細な説明】
【技術分野】
【０００１】
本発明は文房具分野を取り上げて、具体的には自動的にインクを吸い取ることができる万年筆である。
【背景技術】
【０００２】
万年筆はよく使われる道具として、普通の万年筆は手動でペン先からインクを吸い取り、もし操作が下手だと、手にインクが付きやすく、またペン先によりインクを吸い取った後、ペン先をきれいに拭く必要があり、万年筆の寿命にも影響し、従って、ペン軸の後端から自動的にインクを吸い取ることができる万年筆を設計する必要があり、本装置はペン軸の後端からインクを吸い取ることができ、ペン先を使用してインクを吸い取ることを避け、ペン先の使用寿命を延ばし、また自動的にインクを吸い取ることができるため、手でペン軸を握る必要がなく、手にインクが付くことを避ける。
【先行技術文献】
【特許文献】
【０００３】
【特許文献１】中国特許出願公開第104589851号明細書
【発明の概要】
【発明が解決しようとする課題】
【０００４】
本発明の目的は自動的にインクを吸い取ることができる万年筆を提供し、それは上記の現在の技術中の問題を解決できる。
【課題を解決するための手段】
【０００５】
本発明は以下の技術プランを通じて実現する：本発明の自動的にインクを吸い取ることができる万年筆は、ペン軸を含み、前記ペン軸の中にはインク貯蔵チャンバが設けられ、前記インク貯蔵チャンバの上側内壁の中にはリールチャンバが連通するように設けられ、前記リールチャンバの中にはインクガイド装置が設けられ、前記インク貯蔵チャンバの下側内壁の中には伝動チャンバが連通するように設けられ、前記伝動チャンバの中には変圧装置が設けられ、前記伝動チャンバの左側内壁の中には手動装置が設けられ、前記手動装置は前記伝動チャンバの左側内壁の中に設けられた歯車チャンバを含み、前記歯車チャンバの中には左歯車が回転できるように設けられ、前記左歯車の左端にはショートねじロッドが固定的に連結され、前記歯車チャンバの左側内壁の中には左方に開口したスライドブロックチャンバが設けられ、前記スライドブロックチャンバの中にはスライドブロックがスライドできるように設けられ、前記スライドブロックの中には右方に開口した連結孔が設けられ、前記ショートねじロッドが前記連結孔にねじ山によって連結されることができ、前記スライドブロックの右端と前記スライドブロックチャンバの右側内壁との間にはバネが固定的に連結され、前記変圧装置は前記左歯車と噛合できるように前記左歯車の下端に設けられた下歯車を含み、前記下歯車の下端には連結軸が固定的に連結され、前記歯車チャンバの下側内壁の中にはプーリー溝が設けられ、前記プーリー溝の右側内壁が前記伝動チャンバと連通しており、前記プーリー溝の中には左プーリーが回転できるように設けられ、前記連結軸の下端が前記プーリー溝の中に伸びており、且つ前記左プーリーに固定的に連結され、前記伝動チャンバの中には右プーリーが回転できるように設けられ、前記右プーリーと前記左プーリーとの間にはベルトが連結され、前記右プーリーの中にはロングねじロッドが固定的に連結され、前記ロングねじロッドの上側にはねじ山ブロックがスライドできるように設けられ、前記ねじ山ブロックの中には下方に開口したねじ山孔が設けられ、前記ロングねじロッドが前記ねじ山孔の中に伸びており、且つ前記ねじ山孔とねじ山によって連結され、前記伝動チャンバと前記インク貯蔵チャンバとの間にはスライド板がスライドできるように設けられ、前記スライド板は前記伝動チャンバと前記インク貯蔵チャンバとを離隔することができ、前記スライド板が前記ねじ山ブロックに固定的に連結され、前記インク貯蔵チャンバと前記リールチャンバとの間には固定板が固定的に設けられ、前記固定板は前記インク貯蔵チャンバと前記リールチャンバとを離隔することができ、
前記スライドブロックを押し動かし、前記連結孔を前記ショートねじロッドと連結し、これにより前記左歯車を回転連動させ、前記スライド板がスライドして前記インク貯蔵チャンバの中の気圧を変え、これによりインクを自動的に吸い取ることができる。
【０００６】
更の技術プラン、前記インクガイド装置は前記リールチャンバの前後内壁の間に回転できるように連結されたリール軸を含み、前記リール軸にはリールが固定的に連結され、前記リールの前後両端と前記リールチャンバの前後内壁との間にはトーションバネが固定的に連結され、前記リールにはインクガイド管が巻き付くように設けられ、前記インクガイド管の中にはインクガイド通路が貫通するように設けられ、前記リールチャンバの上側内壁の中には上方に開口した連結溝が設けられ、前記連結溝の中には前記連結溝としまりばめする連結ブロックがスライドできるように連結され、前記連結ブロックの中には回転輪チャンバが設けられ、前記インクガイド管の上端が前記回転輪チャンバの中に伸びており、前記インクガイド通路が前記回転輪チャンバに連通しており、前記回転輪チャンバの前後内壁の間には回転輪が回転できるように連結され、前記回転輪が前記回転輪チャンバの前後内壁と円周内壁とに当接しており、前記回転輪チャンバの上側内壁の中には上方に開口したインク吸い孔が連通するように設けられ、前記インクガイド管の下端が前記固定板の中に固定的に連結され、前記インクガイド通路が前記インク貯蔵チャンバに連通しており、
前記インクガイド装置はインクを前記インク貯蔵チャンバの中にガイドすることができる。
【０００７】
更の技術プラン、前記スライド板の中には弾性ロッドが固定的に設けられ、前記弾性ロッドの下端が前記伝動チャンバの下側内壁に固定的に連結され、前記弾性ロッドの中には弾性通路が上下に貫通するように設けられ、前記弾性通路の上側が前記インク貯蔵チャンバに連通しており、前記伝動チャンバの下側内壁の中には通路が連通するように設けられ、前記通路が前記弾性通路に正対しており、前記通路の下側内壁の中にはローリングボールチャンバが連通するように設けられ、前記ローリングボールチャンバの中にはローリングボールはローリングできるように設けられ、前記ローリングボールチャンバの下側内壁の中にはインク出し口が連通するように設けられ、前記インク出し口が前後に貫通しており、且つ下方に開口しており、
前記ペン軸の下側の尖っている端が弾性を持ち、インクが前記インク出し口を経由して紙に書かれることができ、前記ローリングボールは前記ローリングボールチャンバと前記インク出し口との間の連結口の大きさを制御することができる。
【発明の効果】
【０００８】
本発明は構造が簡単で、操作が便利であり、ペン軸の後端からインクを吸い取ることができ、ペン先を使用してインクを吸い取ることを避け、ペン先の使用寿命を延ばし、また自動的にインクを吸い取ることができるため、手でペン軸を握る必要がなく、手にインクが付くことを避ける。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の自動的にインクを吸い取ることができる万年筆の内部構成略図
【図２】図２は図１のＡの拡大略図
【図３】図３は図１のＢの拡大略図
【図４】図４は図２のＣ―Ｃの構成略図
【発明を実施するための形態】
【００１１】
図１〜４を参照し、本発明の自動的にインクを吸い取ることができる万年筆は、ペン軸１１を含み、前記ペン軸１１の中にはインク貯蔵チャンバ２４が設けられ、前記インク貯蔵チャンバ２４の上側内壁の中にはリールチャンバ２６が連通するように設けられ、前記リールチャンバ２６の中にはインクガイド装置１０２が設けられ、前記インク貯蔵チャンバ２４の下側内壁の中には伝動チャンバ１６が連通するように設けられ、前記伝動チャンバ１６の中には変圧装置１０１が設けられ、前記伝動チャンバ１６の左側内壁の中には手動装置１００が設けられ、前記手動装置１００は前記伝動チャンバ１６の左側内壁の中に設けられた歯車チャンバ４０を含み、前記歯車チャンバ４０の中には左歯車４１が回転できるように設けられ、前記左歯車４１の左端にはショートねじロッド４３が固定的に連結され、前記歯車チャンバ４０の左側内壁の中には左方に開口したスライドブロックチャンバ４６が設けられ、前記スライドブロックチャンバ４６の中にはスライドブロック４２がスライドできるように設けられ、前記スライドブロック４２の中には右方に開口した連結孔４４が設けられ、前記ショートねじロッド４３が前記連結孔４４にねじ山によって連結されることができ、前記スライドブロック４２の右端と前記スライドブロックチャンバ４６の右側内壁との間にはバネ４５が固定的に連結され、前記変圧装置１０１は前記左歯車４１と噛合できるように前記左歯車４１の下端に設けられた下歯車３９を含み、前記下歯車３９の下端には連結軸３７が固定的に連結され、前記歯車チャンバ４０の下側内壁の中にはプーリー溝４８が設けられ、前記プーリー溝４８の右側内壁が前記伝動チャンバ１６と連通しており、前記プーリー溝４８の中には左プーリー３８が回転できるように設けられ、前記連結軸３７の下端が前記プーリー溝４８の中に伸びており、且つ前記左プーリー３８に固定的に連結され、前記伝動チャンバ１６の中には右プーリー１７が回転できるように設けられ、前記右プーリー１７と前記左プーリー３８との間にはベルト３６が連結され、前記右プーリー１７の中にはロングねじロッド１９が固定的に連結され、前記ロングねじロッド１９の上側にはねじ山ブロック２０がスライドできるように設けられ、前記ねじ山ブロック２０の中には下方に開口したねじ山孔２１が設けられ、前記ロングねじロッド１９が前記ねじ山孔２１の中に伸びており、且つ前記ねじ山孔２１とねじ山によって連結され、前記伝動チャンバ１６と前記インク貯蔵チャンバ２４との間にはスライド板２３がスライドできるように設けられ、前記スライド板２３は前記伝動チャンバ１６と前記インク貯蔵チャンバ２４とを離隔することができ、前記スライド板２３が前記ねじ山ブロック２０に固定的に連結され、前記インク貯蔵チャンバ２４と前記リールチャンバ２６との間には固定板２５が固定的に設けられ、前記固定板２５は前記インク貯蔵チャンバ２４と前記リールチャンバ２６とを離隔することができ、
前記スライドブロック４２を押し動かし、前記連結孔４４を前記ショートねじロッド４３と連結し、これにより前記左歯車４１を回転連動させ、前記スライド板２３がスライドして前記インク貯蔵チャンバ２４の中の気圧を変え、これによりインクを自動的に吸い取ることができる。
【００１２】
有益的には、前記インクガイド装置１０２は前記リールチャンバ２６の前後内壁の間に回転できるように連結されたリール軸２７を含み、前記リール軸２７にはリール２８が固定的に連結され、前記リール２８の前後両端と前記リールチャンバ２６の前後内壁との間にはトーションバネ４７が固定的に連結され、前記リール２８にはインクガイド管３０が巻き付くように設けられ、前記インクガイド管３０の中にはインクガイド通路２９が貫通するように設けられ、前記リールチャンバ２６の上側内壁の中には上方に開口した連結溝３１が設けられ、前記連結溝３１の中には前記連結溝３１としまりばめする連結ブロック３５がスライドできるように連結され、前記連結ブロック３５の中には回転輪チャンバ３２が設けられ、前記インクガイド管３０の上端が前記回転輪チャンバ３２の中に伸びており、前記インクガイド通路２９が前記回転輪チャンバ３２に連通しており、前記回転輪チャンバ３２の前後内壁の間には回転輪３３が回転できるように連結され、前記回転輪３３が前記回転輪チャンバ３２の前後内壁と円周内壁とに当接しており、前記回転輪チャンバ３２の上側内壁の中には上方に開口したインク吸い孔３４が連通するように設けられ、前記インクガイド管３０の下端が前記固定板２５の中に固定的に連結され、前記インクガイド通路２９が前記インク貯蔵チャンバ２４に連通しており、
前記インクガイド装置１０２はインクを前記インク貯蔵チャンバ２４の中にガイドすることができる。
【００１３】
有益的には、前記スライド板２３の中には弾性ロッド２２が固定的に設けられ、前記弾性ロッド２２の下端が前記伝動チャンバ１６の下側内壁に固定的に連結され、前記弾性ロッド２２の中には弾性通路１８が上下に貫通するように設けられ、前記弾性通路１８の上側が前記インク貯蔵チャンバ２４に連通しており、前記伝動チャンバ１６の下側内壁の中には通路１５が連通するように設けられ、前記通路１５が前記弾性通路１８に正対しており、前記通路１５の下側内壁の中にはローリングボールチャンバ１２が連通するように設けられ、前記ローリングボールチャンバ１２の中にはローリングボール１４はローリングできるように設けられ、前記ローリングボールチャンバ１２の下側内壁の中にはインク出し口１３が連通するように設けられ、前記インク出し口１３が前後に貫通しており、且つ下方に開口しており、
前記ペン軸１１の下側の尖っている端が弾性を持ち、インクが前記インク出し口１３を経由して紙に書かれることができ、前記ローリングボール１４は前記ローリングボールチャンバ１２と前記インク出し口１３との間の連結口の大きさを制御することができる。
【００１４】
使用する時、スライドブロック４２を押し動かしてバネ４５を圧縮し、連結孔４４とショートねじロッド４３とが連結された後に続けてスライドブロック４２を押し動かし、これによりショートねじロッド４３と左歯車４１とを回転連動させ、歯車の伝動とベルトの伝動とによりロングねじロッド１９を回転連動させ、これによりねじ山ブロック２０とスライド板２３とを上昇連動させ、弾性ロッド２２が弾性を持っているため、スライド板２３が上昇する過程の中に弾性ロッド２２を引き伸ばし、また弾性通路１８の横断面を小さくにし、同時にインク貯蔵チャンバ２４の中の空気にインクガイド通路２９と、リールチャンバ３２と、インク吸い孔３４を経由させて排出し、スライド板２３が上限界位置まで上昇した時に連結ブロック３５を引き出してインクに沈め、トーションバネ４７の弾性がちょうどインクガイド管３０をリール２８に巻き付くことしかできなく、スライドブロック４２を放し、バネ４５の弾力作用によりスライドブロック４２を押し動かして左へスライドさせ、これによりショートねじロッド４３と左歯車４１とを反転連動させ、これによりスライド板２３を降下連動させ、これによりインク貯蔵チャンバ２４の中の気圧を下げ、これにより連結孔４４がショートねじロッド４３から離脱するまでインクをインク貯蔵チャンバ２４の中に吸い取り、連結ブロック３５を取り出し、きれいに拭き終わった後に連結溝３１の中に連結し、インクガイド管３０がトーションバネ４７の弾力作用により改めてリール２８に巻き付き、インクの中に懸濁の物があるため、回転輪３３がインクを吸い取る過程に一回のインクガイド通路２９の中に入るインクの量をコントロールし、塞ぐことを減少し、万年筆を使って書く時、ペン軸１１の下側の尖っている端と紙とが押し合い、これによりインク出し口１３を少し拡張し、その時ローリングボール１４はローリングボールチャンバ１２とインク出し口１３との間の連結口を小さくすることができ、インクが大量に流出することを避け、同時にインクの浮力によりローリングボール１４がローリングボールチャンバ１２とインク出し口１３との間の連結口を完全に密封することがない。
【００１５】
有益効果は：本発明は構造が簡単で、操作が便利であり、ペン軸の後端からインクを吸い取ることができ、ペン先を使用してインクを吸い取ることを避け、ペン先の使用寿命を延ばし、また自動的にインクを吸い取ることができるため、手でペン軸を握る必要がなく、手にインクが付くことを避ける。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175642.tif 000003
【図２】
2020175642.tif 000004
【図３】
2020175642.tif 000005
【図４】
2020175642.tif 000006
【手続補正書】
【提出日】令和1年8月9日(2019.8.9)
【手続補正１】
【補正対象書類名】特許請求の範囲
【補正対象項目名】請求項１
【補正方法】変更
【補正の内容】
【請求項１】
正面視で、ペン軸を含み、前記ペン軸の中にはインク貯蔵チャンバが設けられ、前記インク貯蔵チャンバの上側内壁の中にはリールチャンバが連通するように設けられ、前記リールチャンバの中にはインクガイド装置が設けられ、前記インク貯蔵チャンバの下側内壁の中には伝動チャンバが連通するように設けられ、前記伝動チャンバの中には変圧装置が設けられ、前記伝動チャンバの左側内壁の中には手動装置が設けられ、前記手動装置は前記伝動チャンバの左側内壁の中に設けられた歯車チャンバを含み、前記歯車チャンバの中には左歯車が回転できるように設けられ、前記左歯車の左端にはショートねじロッドが固定的に連結され、前記歯車チャンバの左側内壁の中には左方に開口したスライドブロックチャンバが設けられ、前記スライドブロックチャンバの中にはスライドブロックがスライドできるように設けられ、前記スライドブロックの中には右方に開口した連結孔が設けられ、前記ショートねじロッドが前記連結孔にねじ山によって連結されることができ、前記スライドブロックの右端と前記スライドブロックチャンバの右側内壁との間にはバネが固定的に連結され、前記変圧装置は前記左歯車と噛合できるように前記左歯車の下端に設けられた下歯車を含み、前記下歯車の下端には連結軸が固定的に連結され、前記歯車チャンバの下側内壁の中にはプーリー溝が設けられ、前記プーリー溝の右側内壁が前記伝動チャンバと連通しており、前記プーリー溝の中には左プーリーが回転できるように設けられ、前記連結軸の下端が前記プーリー溝の中に伸びており、且つ前記左プーリーに固定的に連結され、前記伝動チャンバの中には右プーリーが回転できるように設けられ、前記右プーリーと前記左プーリーとの間にはベルトが連結され、前記右プーリーの中にはロングねじロッドが固定的に連結され、前記ロングねじロッドの上側にはねじ山ブロックがスライドできるように設けられ、前記ねじ山ブロックの中には下方に開口したねじ山孔が設けられ、前記ロングねじロッドが前記ねじ山孔の中に伸びており、且つ前記ねじ山孔とねじ山によって連結され、前記伝動チャンバと前記インク貯蔵チャンバとの間にはスライド板がスライドできるように設けられ、前記スライド板は前記伝動チャンバと前記インク貯蔵チャンバとを離隔することができ、前記スライド板が前記ねじ山ブロックに固定的に連結され、前記インク貯蔵チャンバと前記リールチャンバとの間には固定板が固定的に設けられ、前記固定板は前記インク貯蔵チャンバと前記リールチャンバとを離隔することができ、前記スライドブロックを押し動かし、前記連結孔を前記ショートねじロッドと連結し、これにより前記左歯車を回転連動させることを特徴とする自動的にインクを吸い取ることができる万年筆。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げて、具体的には自動的にインクを吸い取ることができる万年筆である。
【背景技術】
【０００２】
万年筆はよく使われる道具として、普通の万年筆は手動でペン先からインクを吸い取り、もし操作が下手だと、手にインクが付きやすく、またペン先によりインクを吸い取った後、ペン先をきれいに拭く必要があり、万年筆の寿命にも影響し、従って、ペン軸の後端から自動的にインクを吸い取ることができる万年筆を設計する必要があり、本装置はペン軸の後端からインクを吸い取ることができ、ペン先を使用してインクを吸い取ることを避け、ペン先の使用寿命を延ばし、また自動的にインクを吸い取ることができるため、手でペン軸を握る必要がなく、手にインクが付くことを避ける。
【先行技術文献】
【特許文献】
【０００３】
【特許文献１】中国特許出願公開第104589851号明細書
【発明の概要】
【発明が解決しようとする課題】
【０００４】
本発明の目的は自動的にインクを吸い取ることができる万年筆を提供し、それは上記の現在の技術中の問題を解決できる。
【課題を解決するための手段】
【０００５】
本発明は以下の技術プランを通じて実現する：本発明の自動的にインクを吸い取ることができる万年筆は、ペン軸を含み、前記ペン軸の中にはインク貯蔵チャンバが設けられ、前記インク貯蔵チャンバの上側内壁の中にはリールチャンバが連通するように設けられ、前記リールチャンバの中にはインクガイド装置が設けられ、前記インク貯蔵チャンバの下側内壁の中には伝動チャンバが連通するように設けられ、前記伝動チャンバの中には変圧装置が設けられ、前記伝動チャンバの左側内壁の中には手動装置が設けられ、前記手動装置は前記伝動チャンバの左側内壁の中に設けられた歯車チャンバを含み、前記歯車チャンバの中には左歯車が回転できるように設けられ、前記左歯車の左端にはショートねじロッドが固定的に連結され、前記歯車チャンバの左側内壁の中には左方に開口したスライドブロックチャンバが設けられ、前記スライドブロックチャンバの中にはスライドブロックがスライドできるように設けられ、前記スライドブロックの中には右方に開口した連結孔が設けられ、前記ショートねじロッドが前記連結孔にねじ山によって連結されることができ、前記スライドブロックの右端と前記スライドブロックチャンバの右側内壁との間にはバネが固定的に連結され、前記変圧装置は前記左歯車と噛合できるように前記左歯車の下端に設けられた下歯車を含み、前記下歯車の下端には連結軸が固定的に連結され、前記歯車チャンバの下側内壁の中にはプーリー溝が設けられ、前記プーリー溝の右側内壁が前記伝動チャンバと連通しており、前記プーリー溝の中には左プーリーが回転できるように設けられ、前記連結軸の下端が前記プーリー溝の中に伸びており、且つ前記左プーリーに固定的に連結され、前記伝動チャンバの中には右プーリーが回転できるように設けられ、前記右プーリーと前記左プーリーとの間にはベルトが連結され、前記右プーリーの中にはロングねじロッドが固定的に連結され、前記ロングねじロッドの上側にはねじ山ブロックがスライドできるように設けられ、前記ねじ山ブロックの中には下方に開口したねじ山孔が設けられ、前記ロングねじロッドが前記ねじ山孔の中に伸びており、且つ前記ねじ山孔とねじ山によって連結され、前記伝動チャンバと前記インク貯蔵チャンバとの間にはスライド板がスライドできるように設けられ、前記スライド板は前記伝動チャンバと前記インク貯蔵チャンバとを離隔することができ、前記スライド板が前記ねじ山ブロックに固定的に連結され、前記インク貯蔵チャンバと前記リールチャンバとの間には固定板が固定的に設けられ、前記固定板は前記インク貯蔵チャンバと前記リールチャンバとを離隔することができ、
前記スライドブロックを押し動かし、前記連結孔を前記ショートねじロッドと連結し、これにより前記左歯車を回転連動させる。
【０００６】
更の技術プラン、前記インクガイド装置は前記リールチャンバの前後内壁の間に回転できるように連結されたリール軸を含み、前記リール軸にはリールが固定的に連結され、前記リールの前後両端と前記リールチャンバの前後内壁との間にはトーションバネが固定的に連結され、前記リールにはインクガイド管が巻き付くように設けられ、前記インクガイド管の中にはインクガイド通路が貫通するように設けられ、前記リールチャンバの上側内壁の中には上方に開口した連結溝が設けられ、前記連結溝の中には前記連結溝としまりばめする連結ブロックがスライドできるように連結され、前記連結ブロックの中には回転輪チャンバが設けられ、前記インクガイド管の上端が前記回転輪チャンバの中に伸びており、前記インクガイド通路が前記回転輪チャンバに連通しており、前記回転輪チャンバの前後内壁の間には回転輪が回転できるように連結され、前記回転輪が前記回転輪チャンバの前後内壁と円周内壁とに当接しており、前記回転輪チャンバの上側内壁の中には上方に開口したインク吸い孔が連通するように設けられ、前記インクガイド管の下端が前記固定板の中に固定的に連結され、前記インクガイド通路が前記インク貯蔵チャンバに連通しており、
前記インクガイド装置はインクを前記インク貯蔵チャンバの中にガイドすることができる。
【０００７】
更の技術プラン、前記スライド板の中には弾性ロッドが固定的に設けられ、前記弾性ロッドの下端が前記伝動チャンバの下側内壁に固定的に連結され、前記弾性ロッドの中には弾性通路が上下に貫通するように設けられ、前記弾性通路の上側が前記インク貯蔵チャンバに連通しており、前記伝動チャンバの下側内壁の中には通路が連通するように設けられ、前記通路が前記弾性通路に正対しており、前記通路の下側内壁の中にはローリングボールチャンバが連通するように設けられ、前記ローリングボールチャンバの中にはローリングボールはローリングできるように設けられ、前記ローリングボールチャンバの下側内壁の中にはインク出し口が連通するように設けられ、前記インク出し口が前後に貫通しており、且つ下方に開口しており、
前記ペン軸の下側の尖っている端が弾性を持ち、インクが前記インク出し口を経由して紙に書かれることができ、前記ローリングボールは前記ローリングボールチャンバと前記インク出し口との間の連結口の大きさを制御することができる。
【発明の効果】
【０００８】
本発明は構造が簡単で、操作が便利であり、ペン軸の後端からインクを吸い取ることができ、ペン先を使用してインクを吸い取ることを避け、ペン先の使用寿命を延ばし、また自動的にインクを吸い取ることができるため、手でペン軸を握る必要がなく、手にインクが付くことを避ける。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の自動的にインクを吸い取ることができる万年筆の内部構成略    図
【図２】図２は図１のＡの拡大略図
【図３】図３は図１のＢの拡大略図
【図４】図４は図２のＣ―Ｃの構成略図
【発明を実施するための形態】
【００１１】
図１〜４を参照し、本発明の自動的にインクを吸い取ることができる万年筆は、ペン軸１１を含み、前記ペン軸１１の中にはインク貯蔵チャンバ２４が設けられ、前記インク貯蔵チャンバ２４の上側内壁の中にはリールチャンバ２６が連通するように設けられ、前記リールチャンバ２６の中にはインクガイド装置１０２が設けられ、前記インク貯蔵チャンバ２４の下側内壁の中には伝動チャンバ１６が連通するように設けられ、前記伝動チャンバ１６の中には変圧装置１０１が設けられ、前記伝動チャンバ１６の左側内壁の中には手動装置１００が設けられ、前記手動装置１００は前記伝動チャンバ１６の左側内壁の中に設けられた歯車チャンバ４０を含み、前記歯車チャンバ４０の中には左歯車４１が回転できるように設けられ、前記左歯車４１の左端にはショートねじロッド４３が固定的に連結され、前記歯車チャンバ４０の左側内壁の中には左方に開口したスライドブロックチャンバ４６が設けられ、前記スライドブロックチャンバ４６の中にはスライドブロック４２がスライドできるように設けられ、前記スライドブロック４２の中には右方に開口した連結孔４４が設けられ、前記ショートねじロッド４３が前記連結孔４４にねじ山によって連結されることができ、前記スライドブロック４２の右端と前記スライドブロックチャンバ４６の右側内壁との間にはバネ４５が固定的に連結され、前記変圧装置１０１は前記左歯車４１と噛合できるように前記左歯車４１の下端に設けられた下歯車３９を含み、前記下歯車３９の下端には連結軸３７が固定的に連結され、前記歯車チャンバ４０の下側内壁の中にはプーリー溝４８が設けられ、前記プーリー溝４８の右側内壁が前記伝動チャンバ１６と連通しており、前記プーリー溝４８の中には左プーリー３８が回転できるように設けられ、前記連結軸３７の下端が前記プーリー溝４８の中に伸びており、且つ前記左プーリー３８に固定的に連結され、前記伝動チャンバ１６の中には右プーリー１７が回転できるように設けられ、前記右プーリー１７と前記左プーリー３８との間にはベルト３６が連結され、前記右プーリー１７の中にはロングねじロッド１９が固定的に連結され、前記ロングねじロッド１９の上側にはねじ山ブロック２０がスライドできるように設けられ、前記ねじ山ブロック２０の中には下方に開口したねじ山孔２１が設けられ、前記ロングねじロッド１９が前記ねじ山孔２１の中に伸びており、且つ前記ねじ山孔２１とねじ山によって連結され、前記伝動チャンバ１６と前記インク貯蔵チャンバ２４との間にはスライド板２３がスライドできるように設けられ、前記スライド板２３は前記伝動チャンバ１６と前記インク貯蔵チャンバ２４とを離隔することができ、前記スライド板２３が前記ねじ山ブロック２０に固定的に連結され、前記インク貯蔵チャンバ２４と前記リールチャンバ２６との間には固定板２５が固定的に設けられ、前記固定板２５は前記インク貯蔵チャンバ２４と前記リールチャンバ２６とを離隔することができ、
前記スライドブロック４２を押し動かし、前記連結孔４４を前記ショートねじロッド４３と連結し、これにより前記左歯車４１を回転連動させる。
【００１２】
有益的には、前記インクガイド装置１０２は前記リールチャンバ２６の前後内壁の間に回転できるように連結されたリール軸２７を含み、前記リール軸２７にはリール２８が固定的に連結され、前記リール２８の前後両端と前記リールチャンバ２６の前後内壁との間にはトーションバネ４７が固定的に連結され、前記リール２８にはインクガイド管３０が巻き付くように設けられ、前記インクガイド管３０の中にはインクガイド通路２９が貫通するように設けられ、前記リールチャンバ２６の上側内壁の中には上方に開口した連結溝３１が設けられ、前記連結溝３１の中には前記連結溝３１としまりばめする連結ブロック３５がスライドできるように連結され、前記連結ブロック３５の中には回転輪チャンバ３２が設けられ、前記インクガイド管３０の上端が前記回転輪チャンバ３２の中に伸びており、前記インクガイド通路２９が前記回転輪チャンバ３２に連通しており、前記回転輪チャンバ３２の前後内壁の間には回転輪３３が回転できるように連結され、前記回転輪３３が前記回転輪チャンバ３２の前後内壁と円周内壁とに当接しており、前記回転輪チャンバ３２の上側内壁の中には上方に開口したインク吸い孔３４が連通するように設けられ、前記インクガイド管３０の下端が前記固定板２５の中に固定的に連結され、前記インクガイド通路２９が前記インク貯蔵チャンバ２４に連通しており、
前記インクガイド装置１０２はインクを前記インク貯蔵チャンバ２４の中にガイドすることができる。
【００１３】
有益的には、前記スライド板２３の中には弾性ロッド２２が固定的に設けられ、前記弾性ロッド２２の下端が前記伝動チャンバ１６の下側内壁に固定的に連結され、前記弾性ロッド２２の中には弾性通路１８が上下に貫通するように設けられ、前記弾性通路１８の上側が前記インク貯蔵チャンバ２４に連通しており、前記伝動チャンバ１６の下側内壁の中には通路１５が連通するように設けられ、前記通路１５が前記弾性通路１８に正対しており、前記通路１５の下側内壁の中にはローリングボールチャンバ１２が連通するように設けられ、前記ローリングボールチャンバ１２の中にはローリングボール１４はローリングできるように設けられ、前記ローリングボールチャンバ１２の下側内壁の中にはインク出し口１３が連通するように設けられ、前記インク出し口１３が前後に貫通しており、且つ下方に開口しており、
前記ペン軸１１の下側の尖っている端が弾性を持ち、インクが前記インク出し口１３を経由して紙に書かれることができ、前記ローリングボール１４は前記ローリングボールチャンバ１２と前記インク出し口１３との間の連結口の大きさを制御することができる。
【００１４】
使用する時、スライドブロック４２を押し動かしてバネ４５を圧縮し、連結孔４４とショートねじロッド４３とが連結された後に続けてスライドブロック４２を押し動かし、これによりショートねじロッド４３と左歯車４１とを回転連動させ、歯車の伝動とベルトの伝動とによりロングねじロッド１９を回転連動させ、これによりねじ山ブロック２０とスライド板２３とを上昇連動させ、弾性ロッド２２が弾性を持っているため、スライド板２３が上昇する過程の中に弾性ロッド２２を引き伸ばし、また弾性通路１８の横断面を小さくにし、同時にインク貯蔵チャンバ２４の中の空気にインクガイド通路２９と、リールチャンバ３２と、インク吸い孔３４を経由させて排出し、スライド板２３が上限界位置まで上昇した時に連結ブロック３５を引き出してインクに沈め、トーションバネ４７の弾性がちょうどインクガイド管３０をリール２８に巻き付くことしかできなく、スライドブロック４２を放し、バネ４５の弾力作用によりスライドブロック４２を押し動かして左へスライドさせ、これによりショートねじロッド４３と左歯車４１とを反転連動させ、これによりスライド板２３を降下連動させ、これによりインク貯蔵チャンバ２４の中の気圧を下げ、これにより連結孔４４がショートねじロッド４３から離脱するまでインクをインク貯蔵チャンバ２４の中に吸い取り、連結ブロック３５を取り出し、きれいに拭き終わった後に連結溝３１の中に連結し、インクガイド管３０がトーションバネ４７の弾力作用により改めてリール２８に巻き付き、インクの中に懸濁の物があるため、回転輪３３がインクを吸い取る過程に一回のインクガイド通路２９の中に入るインクの量をコントロールし、塞ぐことを減少し、万年筆を使って書く時、ペン軸１１の下側の尖っている端と紙とが押し合い、これによりインク出し口１３を少し拡張し、その時ローリングボール１４はローリングボールチャンバ１２とインク出し口１３との間の連結口を小さくすることができ、インクが大量に流出することを避け、同時にインクの浮力によりローリングボール１４がローリングボールチャンバ１２とインク出し口１３との間の連結口を完全に密封することがない。
【００１５】
有益効果は：本発明は構造が簡単で、操作が便利であり、ペン軸の後端からインクを吸い取ることができ、ペン先を使用してインクを吸い取ることを避け、ペン先の使用寿命を延ばし、また自動的にインクを吸い取ることができるため、手でペン軸を握る必要がなく、手にインクが付くことを避ける。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
正面視で、ペン軸を含み、前記ペン軸の中にはインク貯蔵チャンバが設けられ、前記インク貯蔵チャンバの上側内壁の中にはリールチャンバが連通するように設けられ、前記リールチャンバの中にはインクガイド装置が設けられ、前記インク貯蔵チャンバの下側内壁の中には伝動チャンバが連通するように設けられ、前記伝動チャンバの中には変圧装置が設けられ、前記伝動チャンバの左側内壁の中には手動装置が設けられ、前記手動装置は前記伝動チャンバの左側内壁の中に設けられた歯車チャンバを含み、前記歯車チャンバの中には左歯車が回転できるように設けられ、前記左歯車の左端にはショートねじロッドが固定的に連結され、前記歯車チャンバの左側内壁の中には左方に開口したスライドブロックチャンバが設けられ、前記スライドブロックチャンバの中にはスライドブロックがスライドできるように設けられ、前記スライドブロックの中には右方に開口した連結孔が設けられ、前記ショートねじロッドが前記連結孔にねじ山によって連結されることができ、前記スライドブロックの右端と前記スライドブロックチャンバの右側内壁との間にはバネが固定的に連結され、前記変圧装置は前記左歯車と噛合できるように前記左歯車の下端に設けられた下歯車を含み、前記下歯車の下端には連結軸が固定的に連結され、前記歯車チャンバの下側内壁の中にはプーリー溝が設けられ、前記プーリー溝の右側内壁が前記伝動チャンバと連通しており、前記プーリー溝の中には左プーリーが回転できるように設けられ、前記連結軸の下端が前記プーリー溝の中に伸びており、且つ前記左プーリーに固定的に連結され、前記伝動チャンバの中には右プーリーが回転できるように設けられ、前記右プーリーと前記左プーリーとの間にはベルトが連結され、前記右プーリーの中にはロングねじロッドが固定的に連結され、前記ロングねじロッドの上側にはねじ山ブロックがスライドできるように設けられ、前記ねじ山ブロックの中には下方に開口したねじ山孔が設けられ、前記ロングねじロッドが前記ねじ山孔の中に伸びており、且つ前記ねじ山孔とねじ山によって連結され、前記伝動チャンバと前記インク貯蔵チャンバとの間にはスライド板がスライドできるように設けられ、前記スライド板は前記伝動チャンバと前記インク貯蔵チャンバとを離隔することができ、前記スライド板が前記ねじ山ブロックに固定的に連結され、前記インク貯蔵チャンバと前記リールチャンバとの間には固定板が固定的に設けられ、前記固定板は前記インク貯蔵チャンバと前記リールチャンバとを離隔することができ、前記スライドブロックを押し動かし、前記連結孔を前記ショートねじロッドと連結し、これにより前記左歯車を回転連動させ、
前記インクガイド装置は前記リールチャンバの前後内壁の間に回転できるように連結されたリール軸を含み、前記リール軸にはリールが固定的に連結され、前記リールの前後両端と前記リールチャンバの前後内壁との間にはトーションバネが固定的に連結され、前記リールにはインクガイド管が巻き付くように設けられ、前記インクガイド管の中にはインクガイド通路が貫通するように設けられ、前記リールチャンバの上側内壁の中には上方に開口した連結溝が設けられ、前記連結溝の中には前記連結溝としまりばめする連結ブロックがスライドできるように連結され、前記連結ブロックの中には回転輪チャンバが設けられ、前記インクガイド管の上端が前記回転輪チャンバの中に伸びており、前記インクガイド通路が前記回転輪チャンバに連通しており、前記回転輪チャンバの前後内壁の間には回転輪が回転できるように連結され、前記回転輪が前記回転輪チャンバの前後内壁と円周内壁とに当接しており、前記回転輪チャンバの上側内壁の中には上方に開口したインク吸い孔が連通するように設けられ、前記インクガイド管の下端が前記固定板の中に固定的に連結され、前記インクガイド通路が前記インク貯蔵チャンバに連通しており、前記インクガイド装置はインクを前記インク貯蔵チャンバの中にガイドすることができることを特徴とする自動的にインクを吸い取ることができる万年筆。
【請求項２】
前記スライド板の中には弾性ロッドが固定的に設けられ、前記弾性ロッドの下端が前記伝動チャンバの下側内壁に固定的に連結され、前記弾性ロッドの中には弾性通路が上下に貫通するように設けられ、前記弾性通路の上側が前記インク貯蔵チャンバに連通しており、前記伝動チャンバの下側内壁の中には通路が連通するように設けられ、前記通路が前記弾性通路に正対しており、前記通路の下側内壁の中にはローリングボールチャンバが連通するように設けられ、前記ローリングボールチャンバの中にはローリングボールはローリングできるように設けられ、前記ローリングボールチャンバの下側内壁の中にはインク出し口が連通するように設けられ、前記インク出し口が前後に貫通しており、且つ下方に開口しており、前記ペン軸の下側の尖っている端が弾性を持ち、インクが前記インク出し口を経由して紙に書かれることができ、前記ローリングボールは前記ローリングボールチャンバと前記インク出し口との間の連結口の大きさを制御することができることを特徴とする請求項１に記載の自動的にインクを吸い取ることができる万年筆。